(57)【特許請求の範囲】
【請求項１】
ニュース素材を送信する送信設備と送信されたニュース素材を受信する受信設備とを有し、取材現場から送信されたニュース素材を伝送するニュース伝送システムを利用して映像受信局へニュース素材を伝送する方法において、
前記送信設備にて、ビデオカメラで撮影された撮影情報を構成する映像信号、音声信号、加えて取材に基づく記事情報を含む付加情報を夫々ディジタル形式のデータに変換すると共に該ディジタル変換後の映像データを圧縮し、
該圧縮されたディジタル形式の映像データと、前記ディジタル形式の音声データ及び付加情報データとを夫々時分割混合した後前記ニュース伝送システムを介して一括して映像受信局へ伝送するようにしたことを特徴とするニュース素材を伝送する方法。
【請求項２】
ニュース素材を送信する送信設備と送信されたニュース素材を受信する受信設備とを有し、取材現場から送信されたニュース素材を伝送するニュース伝送システムを利用して映像受信局へニュース素材を伝送する方法において、
前記受信設備にて、取材現場からニュース伝送システムを介して送信されるディジタル形式の圧縮された映像データと、ディジタル形式の音声データ及び取材に基づく記事情報を含む付加情報データとが時分割混合された情報を受信して夫々時分割分配し、
前記時分割分配された圧縮された映像データを伸長し、
前記伸長された映像データ及び前記時分割分配された音声データよりビデオデータを得ると同時に前記時分割分配された付加情報データより前記取材に基づく記事情報を含む付加情報を得るようにしたことを特徴とするニュース素材を伝送する方法。
【請求項３】
請求項１に記載のニュースを伝送する方法において、
前記付加情報は、更にニュース発信位置を示すＧＰＳ情報及び編集ディシジョンリスト情報を有することを特徴とするニュース素材を伝送する方法。
【請求項４】
ニュース素材を送信する送信設備と送信されたニュース素材を受信する受信設備とを有し、取材現場から送信されたニュース素材を伝送するニュース伝送システムを利用して映像受信局へニュース素材を伝送する装置において、
前記送信設備は、ビデオカメラで撮影された撮影情報の映像信号をディジタル形式に変換すると共に圧縮して映像データを生成する映像データ生成手段と、
前記ビデオカメラで撮影された撮影情報の音声信号をディジタル形式に変換して音声データを生成する音声データ生成手段と、
取材に基づく記事情報をディジタル形式に変換して記事情報データを生成する記事情報データ生成手段と、
付加情報をディジタル形式に変換して付加情報データを生成する付加情報データ生成手段と、
前記映像データ、音声データ、記事情報データ及び付加情報データを時分割混合すると共にニュース伝送システムを介し映像受信局へ一括して送信する時分割混合手段と
を有することを特徴とするニュースを伝送する装置。
【請求項５】
ニュース素材を送信する送信設備と送信されたニュース素材を受信する受信設備とを有し、取材現場から送信されたニュース素材を伝送するニュース伝送システムを利用して映像受信局へニュース素材を伝送する装置において、
前記受信設備は、取材現場からニュース伝送システムを介して送信されるディジタル形式の圧縮された映像データと、ディジタル形式の音声データと取材に基づく記事情報データ及び付加情報データとが時分割混合された情報を受信して夫々時分割分配する時分割分配手段と、
該時分割分配手段にて時分割分配された前記圧縮された映像データを伸長すると共に該伸長された映像データからアナログ映像信号を再生する映像信号再生手段と、
時分割分配された前記音声データからアナログ音声信号を再生する音声信号再生手段と、
時分割分配された前記記事情報データから記事情報を再生する記事情報再生手段と、
時分割分配された前記付加情報データから付加情報を再生する付加情報再生手段とを有し、
前記アナログの映像信号及び音声信号よりビデオ信号を得ると同時に前記取材に基づく記事情報及び付加情報を得るようにしたことを特徴とするニュース素材を伝送する装置。
【請求項６】
請求項４に記載のニュース素材を伝送する装置において、
前記記事情報データ生成手段はワードプロセッシング機能を有するコンピュータよりなり、
前記付加情報データ生成手段はタイムコード発生器、ＧＰＳデータ発生器及び編集ディシジョンリスト発生器のひとつ又は複数よりなることを特徴とするニュース素材を伝送する装置。
【請求項７】
請求項５に記載のニュース素材を伝送する装置において、
前記記事情報再生手段は、コンピュータ及びこれと接続されたプリンタよりなることを特徴とするニュース素材を伝送する装置。
【請求項８】
請求項７に記載のニュース素材を伝送する装置において、
前記コンピュータに表示装置が接続され、該表示装置が表示する画面を分割し、前記ビデオ信号の表示サイズを縮小した映像、少なくとも記事情報を含む付加情報からなる特定のニュースに関連する複数の情報を同一画面に表示するようにしたことを特徴とするニュース素材を伝送する装置。
【発明の詳細な説明】
【０００１】
【産業上の利用分野】
本発明は、ニュース取材に利用されるシステムに適用して好適なニュース素材を伝送する方法及び装置に関する。
【０００２】
【従来の技術】
一般に、事件・事故等のニュース取材に際しては、カメラマンと記者が、ＦＰＵ（field pick up 現場取材）装置を携帯し又はＦＰＵ装置を装備した中継車に乗って、事件・事故等の現場に出かける。現場では、カメラマンはニュース対象をビデオカメラで撮影し、記者は取材記事（スクリプト）原稿を起稿して、これらにより事件・事故の詳細を取材している。ＦＰＵ装置とは、これらニュース素材を現場から映像基地局（例えば、首都圏内のキーテレビ放送局）に対して中継するための設備の総称であり、ビデオの映像及び音声信号を伝送する設備、並びに記者の取材記事（原稿）の内容を連絡する移動電話等の設備が含まれる。
【０００３】
撮影されたビデオフィルムは、現場で無駄な撮影部分を削除する粗編集作業がなされ、ニュース素材として、ＦＰＵの伝送回線を利用し、最近ではＳＮＧシステム（satelite news gathering 衛星利用取材システム）の伝送回線をも利用して、映像基地局へ送られる。
【０００４】
上述の現場と映像基地局間の伝送に使用されているＥＮＧ伝送は、図５に示すように、例えばビデオカメラ５１で撮影し、この画像を、ＶＴＲ５３から出力されるアナログ形式のコンポジットビデオ信号を、現場のＦＰＵ装置の可搬式アンテナ５５等より、山頂等の高所に設置されている固定式パラボナアンテナ５７を有する中継基地を経由して、映像基地局５９の固定式パラボナアンテナ６１にマイクロ波で伝送している。
【０００５】
最近、現場と映像基地局間の伝送に使用されている衛星利用のＳＮＧシステムは、図６に示すように、現場に持ち込んだＦＰＵ装置である地球局（アップリンク）の車両搭載アンテナ６３，可搬式アンテナ５５等からアナログ形式のコンポジットビデオ信号を人工衛星のトランスポンダ（中継局）１３を介し即座に映像基地局５９の固定式パラボナアンテナ６５に伝送するシステムで、速報性の点で従来にないメリットを有している。現在では衛星運用会社（ＳＣＣ，ＪＣ−ＳＡＴ）が人工衛星を管理し、何本かのトランスポンダを各放送局及びそのネットワークが共同で利用する形態を採用している。
【０００６】
更に、現在は、将来のディジタル形式信号を伝送するＳＮＧシステムとして、ＤＳＮＧ（digital satelite news gathering ）システムの開発の検討が開始されている。
【０００７】
映像基地局５９へ送られてきた情報は、映像基地局内の管制センタ（放送局によっては、「報道センタ」とも称される。）において、ビデオ情報は編集され、その後ビデオ情報と記者の起稿した取材記事とを対応させて組み合わせ、取材記事は必要に応じて修正されスクリプト（放送用原稿）にされる。ニュース番組の放映では、ビデオ映像が背景音声と共に流され、同時にアナウンサ，ニュースキャスタ等がスクリプトを読み上げてニュースを解説する模様がテレビジョン放送されている。
【０００８】
【発明が解決しようとする課題】
現在使用中のＳＮＧシステム（図６参照）においては、伝送される信号は、時間的に連続したアナログ形式のコンポジットカラービデオ信号（映像信号）であり、かつこれに対応したオーディオ信号（音声信号）を重畳して伝送している。従って、ＳＮＧシステムで伝送される信号には、これ以上の情報を追加するための時間軸上の間隙も無くまた周波数帯域上の空きもない。従って、記者の取材記事（原稿）は、ＳＮＧシステムとは別個のルートである現場の電話１０１から映像基地局の電話１０３を結ぶ公衆電話回線を利用して、映像基地局５９に音声により伝送している。
【０００９】
この場合、情報を受け取る映像基地局５９内の報道センタにおいては、２つのルートで別個に送られてくるビデオ信号と取材記事（スクリプト）との間の対応を取って組み合わせ、その後ビデオ信号（映像，音声）は編集され、取材記事は必要に応じて修正した後に放送用原稿として調製されている。
【００１０】
しかしながら、一日で映像基地局内の報道センタに集まるニュースに関するビデオ情報及び取材記事は膨大で、ビデオ情報と取材記事とを適正に管理し、間違いなく且つ迅速に対応を取って、報道センタに送出することは困難なことが多い。
【００１１】
更に、人名，地名等が多数含まれる取材原稿は、現場から報道センタに対して、漢字混じりの文字のままで伝送出来ることが好ましい。即ち、漢字は同音異義語があり、電話を使用した音声のみの伝達では地名等を正確に伝えることが困難な場合があり、漢字混じりの文字のままで伝送出来ることが望まれる。
【００１２】
従って、本発明は、現状の伝送システムを利用して、ビデオ情報と取材記事情報等の付加情報とを対応させて、取材現場から報道センタに対してビデオ情報と付加情報とを同時にかつ単一の伝送路を用いて伝送し得る方法を提供することを目的とする。
【００１３】
更に、本発明は、上述の伝送の際に、ビデオ情報と共に送られる取材記事情報を、音声ではなく、漢字混じりの文字のままで伝送可能にすることを目的とする。
【００１４】
【課題を解決するための手段】
本発明ニュース素材を伝送する方法は、ニュース素材を送信する送信設備と送信されたニュース素材を受信する受信設備とを有し、取材現場から送信されたニュース素材を伝送するニュース伝送システムを利用して映像受信局へニュース素材を伝送する方法において、この送信設備にて、ビデオカメラで撮影された撮影情報を構成する映像信号、音声信号、加えて取材に基づく記事情報を含む付加情報を夫々ディジタル形式のデータに変換すると共にこのディジタル変換後の映像データを圧縮し、この圧縮されたディジタル形式の映像データと、このディジタル形式の音声データ及び付加情報データとを夫々時分割混合した後このニュース伝送システムを介して一括して映像受信局へ伝送するようにしたものである。
また、この受信設備にて、取材現場からニュース伝送システムを介して送信されるディジタル形式の圧縮された映像データと、ディジタル形式の音声データ及び取材に基づく記事情報を含む付加情報データとが時分割混合された情報を受信して夫々時分割分配し、この時分割分配された圧縮された映像データを伸長し、この伸長された映像データ及びこの時分割分配された音声データよりビデオデータを得ると同時にこの時分割分配された付加情報データよりこの取材に基づく記事情報を含む付加情報を得るようにしたものである。
【００１５】
本発明ニュース素材を伝送する装置は、ニュース素材を送信する送信設備と送信されたニュース素材を受信する受信設備とを有し、取材現場から送信されたニュース素材を伝送するニュース伝送システムを利用して映像受信局へニュース素材を伝送する装置において、この送信設備は、ビデオカメラで撮影された撮影情報の映像信号をディジタル形式に変換すると共に圧縮して映像データを生成する映像データ生成手段と、このビデオカメラで撮影された撮影情報の音声信号をディジタル形式に変換して音声データを生成する音声データ生成手段と、取材に基づく記事情報をディジタル形式に変換して記事情報データを生成する記事情報データ生成手段と、付加情報をディジタル形式に変換して付加情報データを生成する付加情報データ生成手段と、この映像データ、音声データ、記事情報データ及び付加情報データを時分割混合すると共にニュース伝送システムを介し映像受信局へ一括して送信する時分割混合手段とを有するようにしたものである。
また、この受信設備は、取材現場からニュース伝送システムを介して送信されるディジタル形式の圧縮された映像データと、ディジタル形式の音声データと取材に基づく記事情報データ及び付加情報データとが時分割混合された情報を受信して夫々時分割分配する時分割分配手段と、この時分割分配手段にて時分割分配されたこの圧縮された映像データを伸長すると共にこの伸長された映像データからアナログ映像信号を再生する映像信号再生手段と、時分割分配されたこの音声データからアナログ音声信号を再生する音声信号再生手段と、時分割分配されたこの記事情報データから記事情報を再生する記事情報再生手段と、時分割分配されたこの付加情報データから付加情報を再生する付加情報再生手段とを有し、このアナログの映像信号及び音声信号よりビデオ信号を得ると同時にこの取材に基づく記事情報及び付加情報を得るようにしたものである。
【００１６】
【作用】
本発明に係る方法及び装置によれば、情報量の多いアナログ映像信号をディジタル変換して圧縮した映像データとし、空いた時間領域に、映像データに重畳するのではなく時分割態様で、音声データ及びその他の付加情報のディジタルデータを組み合わせた複合化ニュースデータを生成し、こうして特定のニュースに関連する種々のデータを一緒に複合化ニュースデータとして伝送する。
【００１７】
このように関連する複数のニュース素材を複合化ニュースデータとして一括して伝送する方法を利用することにより、記事情報を含む付加情報は常時ビデオ映像と同時に伝送され、また、取材記事情報は漢字混じりの文字データとしてそのまま一括して伝送される。
【００１８】
【実施例】
以下、本発明に係るニュース素材を伝送する方法及び装置の一実施例に関し、図面を参照しながら説明する。
【００１９】
図１は、本実施例に係るに係るニュース素材を伝送する方法及び装置を概念的に説明するブロック図である。本実施例は、時間的に連続しているアナログ量（信号）に比較して、ディジタル量（データ）は時間軸の操作が行い易い特徴をもっていることに基づいている。図１Ａに示すように、取材現場でカメラマンがビデオ（ＶＴＲ）一体形カメラ１で撮影したビデオ信号（映像，音声）の内、映像信号は映像データ生成手段３でディジタル形式に変換され圧縮符号化され映像データVIDEO とされる。音声信号は音声データ生成手段５でディジタル音声データAUDIO に変換され、また現場の記者が起稿した取材記事（スクリプト）は、記事情報生成手段７により漢字混じりの文字としてディジタル文字（スクリプト）データとして生成される。その他の付加情報は、夫々の付加情報生成手段９により夫々ディジタル付加情報データとされる。
【００２０】
これら特定のニュースに関連する種々のディジタルデータが時分割混合手段１１に入力され、ここで時分割混合される。こうして関連する略全ての必要な情報が含まれた複合化ニュースデータとして生成される。
【００２１】
この複合化ニュースデータは、ＳＮＧシステムを利用し衛星１３を介して、キー局である映像基地局に伝送される。
【００２２】
映像基地局では、伝送された複合化ニュースデータは時分割分配手段１５に入力され、ここで時分割混合と同一の時間基準で時分割分配される。時分割分配されたディジタル映像データVIDEO は、映像信号再生手段１７により伸長復号された後アナログ映像信号に変換され、時分割分配されたディジタル音声データAUDIO は音声信号再生手段１９によりアナログ音声信号に変換にされ、この両信号はＶＴＲ２１によって記録される。時分割分配された取材記事の文字データは、記事情報再生手段２３に入力され、放送用原稿にされる。その他の付加情報は夫々の付加情報再生手段２５により夫々再生され利用される。
【００２３】
これに対して、比較例として図１Ｂに示す従来の伝送方法は、取材現場でカメラマンがビデオ一体形カメラ１で撮影したアナログビデオ信号は、コンポジット映像信号に音声信号を重畳したアナログビデオ信号として、ＳＮＢシステムを利用し衛星１３を介して映像基地局に伝送される。映像基地局では、受け取ったアナログビデオ信号をＶＴＲ２１により記録する。現場の記者が起稿した取材記事（スクリプト）は、電話１０１により公衆電話回線を介して音声信号で映像基地局の電話１０３に送られる。報道担当者は、一日に多数のニュースが殺到する中で、ＳＮＢシステム回線を介して送られてきたビデオ信号と、これとは別個に公衆電話回線を介して送られてきた音声による記事情報との対応を取る。その後、記事情報を放送用原稿（スクリプト）に起稿する。他の付加情報は、同様に電話で通報する以外は伝送できない。
【００２４】
本実施例は、情報量の多いアナログ映像信号をディジタル変換し、ディジタル映像信号を時間軸圧縮し、これによって空いた時間領域に、映像（ビデオ）データに重畳するのではなく時分割態様で、音声（オーディオ）データ及びその他の付加情報のディジタルデータを組み合わせた複合化ニュースデータを生成し、こうして特定のニュースに関連する種々のデータを一緒に複合化ニュースデータとして伝送することを特徴とする。この際、現状のアナログ方式のＳＮＧシステムは、実際にはこのようなディジタルデータの伝送が可能であることを利用している。
【００２５】
このように関連する複数のニュース素材を複合化ニュースデータとして一括して伝送する方法を採用することにより、記事情報を含む付加情報は常時ビデオ映像と同時に伝送することが出来るので、報道局担当者はビデオ映像とその他の付加情報との対応を取る必要がない。また、取材記事情報は漢字混じりの文字データとしてそのまま一緒に伝送出来る。
【００２６】
図２は、本実施例に利用されるニュース素材を伝送する方法のシステムを示すブロック図である。図１Ａに示す概略ブロック図に用いられた手段と同じ対象には同一の符号を用いている。
【００２７】
取材現場の送信側設備として、現場の撮影及び背景音の収音が、例えば、ポータブルタイプのビデオ一体形フィールドカメラ１で行われる。
【００２８】
このカメラ１から出力されるアナログ形式のコンポジット映像信号が、映像データ生成手段３に入力される。この映像データ生成手段３は、フィールドカメラ１から入力するアナログ形式のコンポジット映像信号をディジタル形式に変換するＡ−Ｄ変換器３１と、この出力であるディジタル形式のコンポジット信号を圧縮符号化する符号化器３２と、エラーコードを付ける誤り訂正符号器（ＥＣＣ）３３とを有し、圧縮されたディジタル形式の映像データVIDEO は、ヘッド３４を介し一旦ビデオテープ３５に記録される。この記録フォーマットは、いわゆるＤ−１フォーマット或いはＤ−２フォーマットのいずれでもよいが、これらのフォーマットに限られることなく、ディジタルＶＴＲであれば適用可能であることは言うまでもない。
【００２９】
デジタル化コンポジット信号を符号化器３２により符号化する際には、ＭＰＥＧ（蓄積メディア用ビデオ符号化の規格 moving picture coding experts group）等を利用して圧縮符号化される。
【００３０】
次に、ビデオテープ３５から再生されたディジタル形式の圧縮化映像データVIDEO は、エラー訂正器（ＥＣ）３７によりエラー訂正される。エラー訂正されたディジタル形式映像データVIDEO は、混合器１１に対して出力される。
【００３１】
カメラ１で収音された、例えば事故時の爆発音、インタビュー時の人の声等の背景音は、このカメラ１からアナログ形式の音声信号として、音声データ生成手段５に対し出力される。音声データ生成手段５は、アナログ形式の音声信号をディジタル形式に変換するＡ−Ｄ変換器５１と、音声専用のエラー訂正符号を付けるＥＣＣ回路５２とを有し、ディジタル形式の音声信号AUDIO がビデオテープ５４に記録される。なお、ビデオ信号に比較すると、オーディオ信号は、遥かに情報量が少ないため、原則としてデータ圧縮されない。
【００３２】
ビデオテープ５４より再生されたディジタル形式音声データAUDIO は、ＥＣ回路５６によりエラー訂正される。エラー訂正された音声データAUDIO は、混合器１１に対して出力される。
【００３３】
現場で記者の書いた記事情報を生成する記事情報生成手段７としては、例えばパーソナルコンピュータ（ＰＣ）７を用いる。スクリプトデータは、取材記事情報であり、ワードプロセッサ用ソフトを内蔵したパーソナルコンピュータ（ＰＣ）７のキーボード（図示せず。）から入力され、例えばＰＣ７とその接続機器間の標準的なシリアル・インターフェイスであるＲＳ−２３２Ｃ規格準拠の出力端子からデジタル信号として出力される。ＲＳ−２３２Ｃは、EIA （米国電子工業会）で定められ、わが国ではJIS C631で規格化され、ＰＣの標準インターフェイスとして使用されている。
【００３４】
特定のニュースに関連するその他の付加情報を生成する付加情報生成手段としては、例えばタイムコード（ＴＣ），ＧＰＳ情報，編集ディシジョンリスト（ＥＤＬ  edit dicition list）情報の生成手段がある。
【００３５】
タイムコードは、タイムコード発生器（ＴＣＧ）９-1により符号化され生成され、ディジタル形式のタイムコードデータが混合器１１に対して出力される。タイムコード発生器９-1は、ビデオテープ５４のタイムコードトラックからピックアップした信号を利用してタイムコードのシリアル信号を発生する。タイムコードは例えば８０ビットの時間情報であって、例えばＳＭＰＴＥ（society of motion picture and television engineers米国映画テレビ技術者協会）のビデオテープの長手方向に記録するＬＴＣ（longitudinal time code）でよく、１日２４時間内の時間情報であり、何時，何分，何秒，何フレームからなる。
【００３６】
ＧＰＳ（global positioning system ）は、ニュース発信源の位置情報であり、ＧＰＳデータ発生手段９-2を利用してディジタル形式の緯度及び経度のデータが混合器１１に対し出力される。ＧＰＳは位置情報システムであり、人工衛星から発射されている電波を利用して、自分自身の位置を地球規模で正確に知るためのシステムで、１９９３年１２月以降米国国防省（DOD ）から民間にSPS （standard positioning service）が解放され、現在では２４時間測位可能な状態にあり、カーナビゲーション等で利用されている。本実施例の場合、ニュース発信の位置情報として用い、例えば、北緯何度何分何秒，東経何度何分何秒等の緯度及び経度のディジタル情報が含まれる。
【００３７】
ＥＤＬは、イベント番号，リール番号，編集モード，編集トランジションのタイプ，編集トランジションの時間，ワイプ番号，EDIT-IN タイム，EDIT-OUTタイム等を内容とする。
【００３８】
以上のディジタル形式のビデオ，オーディオ，取材原稿，タイムコード及びＧＰＳの各データは、時分割混合器１１で、時分割混合される。時分割混合器１１で時分割で混合されることにより、図３に示すようにな複合化ニュースデータが生成される。時分割混合器１１にはメモリ手段１２を設け、この複合化ニュースデータを必要に応じて一時的に蓄積することも出来る。
従来、ＳＮＧシステム又はＥＮＧシステムで伝送されている信号は、アナログビデオコンポジット信号にオーディオ信号を重畳した信号である。これに対し、本実施例で伝送される信号はディジタル形式のデータであり、映像データ，音声データのみならず当該ニュースに関連するスクリプトデータ，ＧＰＳデータ等の付加情報データが時分割で含まれる複合化ニュースデータとされていることに特徴がある。
【００３９】
図３を参照しながら、これら時分割混合され複合化されたデジタル形式のニュースデータのデータ構成を示す。各ブロック毎にヘッダが設けられ、１ブロックは、例えば約２３Ｍｂｐｓ（メガ・ビットパーセコンド）からなる。
【００４０】
ヘッダＡは、各ブロックの先頭に設けられ、例えば１０ビット前後のデジタルデータからなり、１ブロックのブロック長，ブロック内のデジタル形式の映像，音声，スクリプト，タイムコード（ＴＣ），ＧＰＳ及びＥＤＬの各データのアドレスを特定するアドレスコード等の情報を有している。このアドレスコードにより記録・再生等の作業が行われる。
【００４１】
映像データＢは、例えば、１７Ｍｂｐｓのディジタルデータからなる。ＮＴＳＣ方式では、ディジタル形式のビデオデータは記録ビットレートは、例えばＤ１フォーマットで２２７Ｍｂｐｓであり、Ｄ２フォーマットで１２７Ｍｂｐｓであるが、例えばＭＰＥＧ等を利用してデータ圧縮した場合は約１７Ｍｂｐｓと、圧縮前に比較して約１／７〜１／１２程度に圧縮されている。
【００４２】
音声データＣは、例えば約３Ｍｂｐｓ程度であり、原則として圧縮する必要はない。
【００４３】
取材記事情報等の付加情報としては、デジタル形式のスクリプトデータＤ，タイムコードデータＥ，ＧＰＳデータＦ，ＥＤＬデータＦ，その他がある。これら付加情報は全部合わせても、０．５〜１Ｍｂｐｓ程度である。従って、１ブロックは、例えば約２３Ｍｂｐｓあれば充分である。
【００４４】
この複合化ニュースデータであるディジタルデータを伝送する回線設備として、ＳＮＧシステムがあり、衛星１３を介して、映像基地局５９に伝送される（図６参照）。現在のＳＮＧの回線は１チャンネル当たり約２７Ｍｂｐｓの送信ビットレートでアナログ信号用として用意されているが、実際問題として、この回線を利用してディジタル信号を送信することが可能である。更に、将来の仕様の変更によっては、ＥＮＧシステムを利用することも出来る。
【００４５】
次に、図２に戻って映像基地局に設けられた受信側設備について説明する。送られた複合化ニュースデータは時分割分配器１５により、送信時の時分割混合と同一の時間基準に基づいて時分割で分配される。なお、分配器１５にはメモリ手段１６を設けて、受信した複合化ニュースデータを必要に応じて一時的に蓄積することも出来る。
【００４６】
時分割分配された圧縮されたディジタル映像データVIDEO は、映像信号再生手段１７に送られる。映像信号再生手段１７は復号化器１７１とＤ−Ａ変換器１７３とを有し、復号化器１７１によりディジタル映像データVIDEO は時間軸伸長復号され、次にＤ−Ａ変換器１７３によりこのディジタル形式映像コンポジット信号はアナログ形式映像コンポジット信号に変換される。
【００４７】
時分割分配されたディジタル形式音声データAUDIO は音声信号再生手段１９に送られる。音声信号再生手段１９はＤ−Ａ変換器１９１を有し、Ｄ−Ａ変換器１９１により音声データAUDIO はアナログ形式音声信号に変換される。
【００４８】
時分割分配されたディジタル形式タイムコードデータは、付加情報再生手段２５の一つであるタイムコードリーダ（ＴＣＲ）２５-1によりアナログ変換され復号化されアナログ形式タイムコード信号にされる。
【００４９】
アナログ形式の映像コンポジット信号，音声信号及びタイムコード信号がＶＴＲ２１に入力され、ビデオ映像が記録される。
【００５０】
時分割分配されたディジタル形式のスクリプトデータは、ＲＳー２３２Ｃインターフェイスを介して付加情報再生手段２５の一つであるＰＣ２３に直接入力される。ＰＣ２３は、このスクリプトデータを、必要に応じてプリンタ２４から出力し放送用原稿（スクリプト）とする。こうして伝送されたスクリプトデータは、記者が取材現場でキーボードからＰＣ７に入力した漢字混じりの文字データそのままであり、地名等も正確に報道センタに届けられる。
【００５１】
時分割分配されたディジタル形式ＥＤＬデータは、スクリプト情報と同様に、ＰＣ２３により再生され、プリンタ２４によりプリントアウトされ利用される。
【００５２】
時分割分配されたディジタル形式ＧＰＳデータは、付加情報再生手段２５の一つであるＧＰＳ再生手段２５-2により、例えば北緯何度何分何秒，東経何度何分何秒というような位置情報として再生され利用される。
【００５３】
本実施例は、アナログ映像信号をディジタル変換して時間軸圧縮し、これによって空いた時間領域に、映像（ビデオ）データに重畳するのではなく時分割態様で、音声（オーディオ）データ及びその他の付加情報のディジタルデータを組み合わせた複合化ニュースデータを生成して伝送することを特徴とする。
【００５４】
このように関連する複数のニュース素材を複合化ニュースデータとして一括して伝送する方法を利用することにより、記事情報を含む付加情報は常時ビデオ映像と同時に伝送することが出来、また、取材記事情報は漢字混じりの文字データとしてそのまま一括して伝送出来る。
【００５５】
次に、図４を用いて、複合化ニュースデータ（図３）に含まれる関連する複数のニュース素材を表示装置の一画面を画面分割して複合的に一括して表示する方法を説明する。表示装置２７の表示画面は、以下のように画面分割されている。例えば、左上１／４の部分に、ビデオの映像が表示される部分Ａがある。ＶＴＲ２１（図２）から得られるビデオ映像信号は、例えばＱＣＩＦ（quarter common interdediate format）を利用して、画面全体の１／４のサイズにされ表示される。
【００５６】
映像表示部分Ａに隣接して、右半分の部分に、スクリプト文字情報が表示される部分Ｄがある。この信号は、分配器１５（図２）から復号器３１を介して得られる。映像表示部分Ａの、例えば直ぐ下にタイムコードが表示される部分Ｅがある。この信号は、分配器１５（図２）から復号器２９を介して得られる。画面の下側にＧＰＳ情報が表示される部分Ｆがある。この信号は、分配器１５（図２）から復号器３３を介して得られる。音声は表示装置のスピーカから聞こえる。
【００５７】
このように１つにニュースに関連したデータが１画面に表示されることにより、表示装置を見る者はニュースに関する様々な情報を得られる。
【００５８】
【発明の効果】
本発明によれば、現状の伝送システムを利用して、ビデオ情報と取材記事情報等の付加情報とを対応させて、取材現場から報道センタに対してビデオ情報と付加情報とを同時に伝送し得る方法及びその装置を提供することが出来る。
【００５９】
更に、本発明によれば、上述の伝送の際に、ビデオ情報と共に送られる取材記事情報を、音声ではなく、漢字混じりの文字のままで伝送することが出来る。
【図面の簡単な説明】
【図１】本実施例を上位概念的に説明するブロック図である。ここで、Ａは本発明のブロック図であり、Ｂは比較例である。
【図２】本実施例のブロック図である。
【図３】図２の実施例で、ニュース取材システムを利用して伝送される複合化ニュースデータのデータ構成を示す図である。
【図４】複合化ニュースデータに含まれる関連する複数のニュースデータを表示装置の一画面を画面分割して複合的に一括して表示する方法を説明する図である。
【図５】ニュース伝送システムの一つであるＥＮＧ（エレクトロニック・ニュース・ギャザリング）システムを説明する図である。
【図６】ニュース伝送システムの一つであるＳＮＧ（サテライト・ニュース・ギャザリング）システムを説明する図である。
【符号の説明】
１  ＶＴＲ一体形カメラ
３  映像データ生成手段
５  音声データ生成手段
７  記事情報（スクリプト）生成手段
９  付加情報生成手段
１１  時分割混合器
１３  衛星
１５  時分割分配器
１７  映像信号再生手段
１９  音声信号再生手段
２１  ＶＴＲ
２３  記録情報（スクリプト）再生手段
２５  付加情報再生手段
２７  表示装置
【図１】
0003635710.tif 000002
【図２】
0003635710.tif 000003
【図３】
0003635710.tif 000004
【図４】
0003635710.tif 000005
【図５】
0003635710.tif 000006
【図６】
0003635710.tif 000007